(57)【要約】【課題】外部から本体内に収容された商品の形状等を確認でき、しかも収容した商品に外部から侵入する異物が付着しないようにした包装用容器を提供すること。【解決手段】商品の外形を視認できる薄いプラスチック材料でなり、本体１１の上端に設けられ、複数の辺を備える開口部１２と、この開口部の一辺１３が上方に延長され、内方に折り返して前記開口部から本体内部に達する折り返し先端部２４を有するヘッダー部２０と、このヘッダー部の両側の辺を延長して、互いに内方に折られて内蓋を形成する舌片部３１，３１と、前記ヘッダー部と対向した辺を延長し、折られて前記内蓋の上に被せられる蓋体４０とを備え、前記ヘッダー部を前記したように内方に折り返した上で、前記蓋体４０を内方に折り返して、蓋体の延長端部４３が前記ヘッダー部の折り返し先端部２３に当接する状態で、前記本体内に挿入される構成。【選択図】                図１
2004161345.tif 000002
【特許請求の範囲】
【請求項１】
内部に商品を収容した状態で、少なくとも外部から該商品の外形を視認できる程度に透明に形成された薄いプラスチック材料でなる箱状の包装容器であって、
箱状の本体の上端に設けられ、少なくとも複数の辺を備える開口部と、
この開口部の一辺が上方に一体に所定距離延長されてなる第１の延長部と、
この第１の延長部よりさらに延長された第２の延長部を備えるとともに、この第２の延長部を内方に折り返して第２の延長部の先端部が前記開口部から本体内部に達するように挿入さる構成とし、幅方向略中央領域に掛止部を有するヘッダー部と、
このヘッダー部を設けた辺を挟む両側の辺がそれぞれ一体に延長されて、その各延長部が互いに内方に折られることで内蓋を形成する舌片部と、
前記ヘッダー部が設けられる辺と対向した辺が一体に延長され、その延長部が内方に折られて前記内蓋の上に被せられるとともに、延長端部は前記ヘッダー部の基端となる位置に達して曲折されて、前記開口部から本体内部に達するように挿入される長さを備える蓋体と、
前記本体内に配置され、本体の内壁に内接する周縁を有し、少なくとも前記ヘッダー部側の周縁が、前記ヘッダー側に延長された延長周縁部とされたパッキン部材と
を備えており、
少なくとも、前記ヘッダー部の前記第２の延長部を前記したように内方に折り返した内面と、前記パッキン部の前記延長周縁部が当接し、
前記ヘッダー部の前記第２の延長部を前記したように内方に折り返した外面と、前記蓋体の前記延長端部が当接される構成とした
ことを特徴とする、包装用容器。
【請求項２】
少なくとも、前記開口部の背面側の位置で、前記ヘッダー部の前記第１の延長部には、このヘッダー部を設けた辺に沿って曲折案内部が設けられていることを特徴とする請求項１ないし３のいずれかに記載の包装用容器。
【請求項３】
前記舌片部は、内方に折られた延長部が、少なくとも互いに接する長さとされていることを特徴とする請求項１または２のいずれかに記載の包装用容器。
【請求項４】
内部に商品を収容した状態で、少なくとも外部から該商品の外形を視認できる程度に透明に形成された薄いプラスチック材料でなる箱状の包装容器であって、
箱状の本体の上端に設けられ、少なくとも複数の辺を備える開口部と、
この開口部の一辺が上方に一体に所定距離延長されてなる第１の延長部と、
この第１の延長部よりさらに延長された第２の延長部を備えるとともに、この第２の延長部を内方に折り返して第２の延長部の先端部が前記開口部から本体内部に達するように挿入さる構成として、幅方向略中央領域に掛止部を有するヘッダー部と、
このヘッダー部を設けた辺を挟む両側の辺がそれぞれ一体に延長されて、その各延長部が互いに内方に折られることで内蓋を形成する舌片部と、
前記ヘッダー部が設けられる辺と対向した辺が一体に延長され、その延長部が内方に折られて前記内蓋の上に被せられるとともに、延長端部は前記ヘッダー部の基端となる位置に達して曲折されて、前記開口部から本体内部に達するように挿入される長さを備える蓋体と
を備えており、
前記ヘッダー部の前記延長端部が先端部で内方前記開口部側に折り返されることにより、前記蓋体の延長端部を収容する収容部を備えていることを特徴とする、包装用容器。
【発明の詳細な説明】
【０００１】
【発明の属する技術分野】
この発明は、哺乳器等の商品を清潔に収容することができる包装用容器の改良に関するものである。
【０００２】
【従来の技術】
従来、複雑な外形形状の商品を収容するための包装用容器については、その改良が提案されており（特許文献１参照）、また、外部から異物が混入しないようにした包装容器（材）についても提案されている（特許文献２参照）。
前者は、箱状容器の外枠と、外枠内部の上下に支持板を設けるようにしたものである。後者は、器体及び蓋体を一体形成のヒンジで片開きに連結したもので、その開き角度を規制することで、内部への異物の混入を防止しようとするものである。
【０００３】
【特許文献１】
特開平１１−３２１８５４号公報
【特許文献２】
特開２０００−７２１６５号公報
【０００４】
【発明が解決しようとする課題】
ところで、包装用容器内に商品を収容して販売に供する場合、その商品が、
例えば哺乳器や乳幼児が使用する飲料容器等である場合には、購入しようとする者は、その商品の外形等から使用勝手等の検討する必要がある。
また、このような商品の場合には、清潔に保管等されていることが重要で、
外部からのゴミや埃が、商品自体に付着することを極力防止する配慮がされている必要がある。
しかしながら、これまで、このような機能を同時に果たすことができる包装用容器は知られていない。
【０００５】
本発明は、このような問題を解決するためになされたもので、少なくとも外部から本体内に収容された商品の形状等を確認でき、しかも収容した商品に外部から侵入する異物が付着しないようにした包装用容器を提供することを目的とする。
【０００６】
【課題を解決するための手段】
上記目的は、請求項１の発明にあっては、内部に商品を収容した状態で、少なくとも外部から該商品の外形を視認できる程度に透明に形成された薄いプラスチック材料でなる箱状の包装容器であって、箱状の本体の上端に設けられ、少なくとも複数の辺を備える開口部と、この開口部の一辺が上方に一体に所定距離延長されてなる第１の延長部と、この第１の延長部よりさらに延長された第２の延長部を備えるとともに、この第２の延長部を内方に折り返して第２の延長部の先端部が前記開口部から本体内部に達するように挿入さる構成とし、幅方向略中央領域に掛止部を有するヘッダー部と、このヘッダー部を設けた辺を挟む両側の辺がそれぞれ一体に延長されて、その各延長部が互いに内方に折られることで内蓋を形成する舌片部と、前記ヘッダー部が設けられる辺と対向した辺が一体に延長され、その延長部が内方に折られて前記内蓋の上に被せられるとともに、延長端部は前記ヘッダー部の基端となる位置に達して曲折されて、前記開口部から本体内部に達するように挿入される長さを備える蓋体と、前記本体内に配置され、本体の内壁に内接する周縁を有し、少なくとも前記ヘッダー部側の周縁が、前記ヘッダー側に延長された延長周縁部とされたパッキン部材とを備えており、少なくとも、前記ヘッダー部の前記第２の延長部を前記したように内方に折り返した内面と、前記パッキン部の前記延長周縁部が当接し、前記ヘッダー部の前記第２の延長部を前記したように内方に折り返した外面と、前記蓋体の前記延長端部が当接される構成とした包装用容器により、達成される。
【０００７】
請求項１の構成によれば、この発明の包装用容器は、薄いプラスチックで形成されているので、透明に形成することが容易で、色彩を伴う印刷を施しても、発色が良く、しかも商品の外形を視認できる程度に透明に形成することができる。また、紙等と比べても丈夫で、剛性感に優れている。この包装用容器の容器本体の上端の開口を介して、物品もしくは商品の出し入れを行える。この開口の一辺が延長されて、幅方向略中央領域に掛止部を有するヘッダー部が形成され、その両端の辺がそれぞれ延長されて各舌片部が設けられている。このため、各舌片部を内方に折り内蓋を形成することで、少なくとも各舌片部の基端部の辺の領域からは、外部の埃等の異物は本体内にほとんど侵入しない。また、ヘッダー部の前面等を利用して、所定の印刷を行うことで、表示効果を高めるとともに、掛止部により吊り下げることで、商品の展示も可能となる。
【０００８】
さらに、前記本体内には、本体の内壁に内接する周縁を有するパッキン部材が設けられることで、包装容器内で商品が動いてしまうことを有効に防止できる。
また、前記ヘッダー部の前記第２の延長部を前記したように内方に折り返した外面と、前記蓋体の前記延長端部が当接されている。このため、前記ヘッダー部が内方に折り返されて、折り返し先端部を前記本体内に挿入した上で、前記蓋体を内方に折り返して、蓋体の延長端部が前記ヘッダー部の第２の延長部の外面に当接する状態とされるので、蓋体の基端部の辺の領域からも異物等の侵入が阻止されとともに、前記したようにプラスチックで形成され、剛性に優れた蓋体の延長端部と、ヘッダー部の第２の延長部の外面が、その基端部が曲折された状態で当接されることで、ヘッダー部と蓋体が曲折を戻すように力がかかる事に伴い、蓋体の延長端部とヘッダー部の第２の延長部の当接箇所が密閉され、この部分からも異物等の侵入が阻止される。
【０００９】
また、少なくとも、前記ヘッダー部の前記第２の延長部を前記したように内方に折り返した内面と、パッキン部の前記延長周縁部が当接している。このため、万一、ヘッダー部の第２の延長部と蓋体の延長端部の間から、埃等の異物が進入した場合でも、本体の内面と第２の延長部の間にパッキン部の延長周縁部が実質的に挟まれた状態となるため、異物はパッキン部の位置に止まり、これより内部に侵入しないため、商品は清潔に保管される。
尚、この発明で「上」及び「下」とは、以下の説明で特に別の定義を与えない限り、包装容器の成立状態における上方を「上」、下方を「下」として使用する。
【００１０】
請求項２の発明は、請求項１の構成において、少なくとも、前記開口部の背面側の位置で、前記ヘッダー部の前記第１の延長部には、このヘッダー部を設けた辺に沿って曲折案内部が設けられていることを特徴とする。
請求項２の構成によれば、特にヘッダー部に吊り下げ用の掛止部を設けた場合において、これを利用して吊り下げた際に、曲折案内部の箇所で折れ曲がることで、ヘッダー部と蓋体との間に無理な力がかかって、開いてしまうことがないので、この開いた箇所から異物等が本体内に侵入することを有効に防止できる。
【００１１】
請求項３の発明は、請求項１または２の構成において、前記舌片部は、内方に折られた延長部が、少なくとも互いに接する長さとされていることを特徴とする。
請求項３の構成によれば、内蓋を構成する各舌片部の先端が接する程度もしくは重なる程度になが長ければ、蓋体の内側で、さらに完全なシール部分を形成し、異物等の本体内への侵入を確実の防止できる。
【００１２】
また、上記目的は、請求項４の発明によれば、内部に商品を収容した状態で、少なくとも外部から該商品の外形を視認できる程度に透明に形成された薄いプラスチック材料でなる箱状の包装容器であって、箱状の本体の上端に設けられ、少なくとも複数の辺を備える開口部と、この開口部の一辺が上方に一体に所定距離延長されてなる第１の延長部と、この第１の延長部よりさらに延長された第２の延長部を備えるとともに、この第２の延長部を内方に折り返して第２の延長部の先端部が前記開口部から本体内部に達するように挿入さる構成として、幅方向略中央領域に掛止部を有するヘッダー部と、このヘッダー部を設けた辺を挟む両側の辺がそれぞれ一体に延長されて、その各延長部が互いに内方に折られることで内蓋を形成する舌片部と、前記ヘッダー部が設けられる辺と対向した辺が一体に延長され、その延長部が内方に折られて前記内蓋の上に被せられるとともに、延長端部は前記ヘッダー部の基端となる位置に達して曲折されて、前記開口部から本体内部に達するように挿入される長さを備える蓋体とを備えており、前記ヘッダー部の前記延長端部が先端部で内方前記開口部側に折り返されることにより、前記蓋体の延長端部を収容する収容部を備えている、包装用容器により、達成される。
【００１３】
請求項４の構成によれば、この発明の包装用容器は、薄いプラスチックで形成されているので、透明に形成することが容易で、色彩を伴う印刷を施しても、発色が良く、しかも商品の外形を視認できる程度に透明に形成することができる。また、紙等と比べても丈夫で、剛性感に優れている。この包装用容器の容器本体の上端の開口を介して、物品もしくは商品の出し入れを行える。この開口の一辺が延長されて、幅方向略中央領域に掛止部を有するヘッダー部が形成され、その両端の辺がそれぞれ延長されて各舌片部が設けられている。このため、各舌片部を内方に折り内蓋を形成することで、少なくとも各舌片部の基端部の辺の領域からは、外部の埃等の異物は本体内にほとんど侵入しない。また、ヘッダー部の前面等を利用して、所定の印刷を行うことで、表示効果を高めるとともに、掛止部により吊り下げることで、商品の展示も可能となる。
また、ヘッダー部側の延長端部が、さらに先端部で開口部側に折り返されることにより収容部が形成されており、この収容部に蓋体の延長端部が入り込むことで、ヘッダー部と蓋体との間となる開口部の隙間が形成されにくく、また、埃等の異物が進入した場合においても、ヘッダー部側の収容部に異物が止まるため、内容物である商品が清潔に保管される。
【００１４】
【発明の実施の形態】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。    図１は、本発明の第１の実施形態による包装用容器１０の概略斜視図であり、図２は、本発明の第１の実施形態による包装用容器１０を吊り下げた状態を示す概略斜視図である。図３は、包装用容器１０の展開図、図４は、図１の包装用容器１０の上部の詳しい構成を示す概略斜視図、さらに図７は、図２のＡ−Ａ線概略断面図である。
図１は、包装用容器１０を正立させた状態を示す概略形態を示しており、以下の説明では、特別の定義をしない限り図１の上方を「上」、図１の下方を「下」と呼んで説明する。
【００１５】
図１ないし図４に示されているように、包装用容器１０は、箱状の容器本体１１を備えている。特に、この実施形態は、図３のように、薄いプラスチックのシート体を所定の形状に成形（切断もしくは打ち抜き）して、所定箇所を折り曲げることで組み立てて構成したものである。このシート体は、例えば、ポリプロピレンの厚さ０．３ｍｍ程度のシート体を使用して形成している。
このシート体は、樹脂を溶解したものについて、延伸や圧縮を行うことで、一定に均一とされた厚みを有するものとされており、そのシート体を成形（切断もしくは打ち抜き）するとともに、後述する曲折部をあらかじめ押圧して、確実に屈曲するよう形成されている。
これにより、包装用容器１０は、透明に形成することが容易で、色彩を伴う印刷を施しても、発色が良く、しかも商品の外形を視認できる程度に透過光量を有する透明に形成することができる。また、紙等と比べても丈夫で、剛性が高く、このため剛性感に優れており内容物を確実に保護する。
【００１６】
図１、図２、図４に示すように、本体１１は、例えば、縦方向に長い中空の直方体でなり、図４に示すように、上端に開口部１２を備えている。
図３に示されているように本体１１の下端には、その各辺から延長されて所定の形状とされた各延長部７１，７２，７３，７２を備えており、本体１１の下端に沿った各辺に沿って内方に折られ、組み合わせることで、本体１１の底部を塞ぐようになっている。
【００１７】
図１に示すように包装用容器１０には、例えば、哺乳器や飲料カップ等の商品Ｂが収容されるようになっており、この実施形態では、本体１１の大きさは、収容を予定される複数の商品Ｂの大きさに対応して、これらよりもやや大きく形成されている。
【００１８】
図１、図３、図４を参照して理解されるように、本体１１に収容される商品の背面側に位置する開口部１２の周縁を形成する辺１３には、ヘッダー部２０が形成されている。ヘッダー部２０は、辺１３から、この辺１３と同じ幅で本体１１を上方に一体に延長した部分として、第１の延長部２１と、これをさらに一体に延長した第２の延長部２３を有している。第１の延長部２１と第２の延長部２３との境界は、辺１３と平行な曲折部２２とされており、曲折部２２で第２の延長部２３は開口部１２側となる内方に曲折されるようになっている（図３参照）。
【００１９】
第１の延長部２１は、図１の組立状態では、辺１３が曲折されないことから、垂直に起立され、曲折部２２が包装用容器１０の最も高い部分となる。第２の延長部２３は、折り返し先端部であって、曲折部２２で内方に折り曲げた際に、その最先端部２４が本体１１内に入り込むように、第１の延長部２１より長く延長されている（図４及び図３参照）。
そして、ヘッダー部２０の第１の延長部２１と第２の延長部には、図１の状態でこれらの同一箇所を貫通するように孔を設けることで、掛止部２５を形成している。掛止部２５は、この実施形態の場合、所謂飛行機孔で、大きな孔と、これより小さく形成され、上方に延びる掛止孔２６とを組み合わせて形成されている。
【００２０】
これにより、図２に示すように、掛止用のフック６１を掛止部２５の大きな孔に差し入れて、小さな上方に延びる掛止孔２６に位置させることにより、ヘッタダー部２０を利用して、表示効果を増すとともに、商品Ｂを収容した包装用容器１０を容易に掛止することができる。
【００２１】
ヘッダー部２０の両側に位置する辺１４と辺１５を基端として、それぞれ延長されることにより舌片部３１，３１とが形成されている。この舌片部３１と，３１は、各辺１４と１５に沿って、互いにヘッダー部２０の側方から内方に曲折されることで、図２に示すように内蓋を形成するようになっている。
この場合、各舌片部３１，３１は、舌片部本体３２，３２の先端側角部にそれぞれ切欠き部３３ａ，３３ａが形成されている。
この実施形態では、舌片部３１，３１の延長された長さは、例えば、図２に示すように互いに先端部３３，３３が接する程度とされている。
【００２２】
図４に示すように、ヘッダー部２０が形成されている辺１３と対向する辺１６は、一体の延長部４１を形成することにより、蓋体４０が形成されている。蓋体４０は、本体１１の開口部１２を塞ぐ最も外側の蓋となる。
特に、蓋体４０では、延長部４１の先端が、辺１６と平行な曲折部４２で曲折されることにより下方に向いた延長端部４３とされており、延長端部４３は開口部１２より、本体１１内に収容されるよう延伸されている。この場合、延長部４１の辺１６から曲折部４２までの延長された長さを、辺１４及び辺１５とほぼ一致させて形成されている。
なお、上述の各曲折部は、図３に示す形状を打ち抜き等で形成した際に、押圧等を行うことで、各曲折部で確実に折れ曲がるように成形されている。
【００２３】
図６は、本体１１とは別体（シート体とは別体）に設けられる第１のパッキン部材５０を示している。この第１のパッキン部材５０は、図６で位置関係を示すように、本体１１内で商品Ｂの上方に位置するパッキン部材である。
第１のパッキン部材５０は、その外形が本体１１の開口部１２よりも僅かに小さな形状とされており、各辺５１，５１，５１，５１の外周は、本体１１に密接に内接する大きさとされている。そして、各辺５１，５１，５１，５１には、それぞれ本体１１の内壁に当接される舌片部状の当接片５２，５２，５２，５２が形成されて、開口部１２側に延伸されており、パッキン部材５０は、凹状の形状とされている。
【００２４】
ここでは、パッキン部材５０は一枚のシートの四隅を正方形状に切り欠き、各片５１で曲折することで各当接片５２を形成しているが、各当接片５２を形成するようパッキン部材５０をあらかじめ凹状の形状に成形しても良く、また、パッキン部材５０は凹状ではなく、少なくともヘッダー部２０側の当接片５２がヘッダー部２０側に延伸するよう構成しても良い。
また、第１のパッキン部材５０の水平なトレイ状部分５６の中央部には、孔５３が形成されている。この孔５３は、この実施形態では、貫通孔とされ、商品Ｂの乳首Ｎを被うフード部等のヘッド部Ｈの先端を挿通させることができるようになっている。これにより孔５３がヘッド部Ｈの上部に密接に当接するから、図１の状態で、商品Ｂは本体１１内でいたずらに動かないように位置規制される。もちろん、この貫通孔は商品Ｂの形状に対応した窪みに成形したものでも構わない。
【００２５】
図７は、図２のＡ−Ａ線概略断面図である。
図示されているように、本体１１の底部には、商品Ｂの下に位置するように第２のパッキン部材５５が配置されている。この第２のパッキン部材５５は、商品Ｂの底部を受容する形状とされている。
そして、第１のパッキン部材５０と第２のパッキン部材５５は、ともに、このましくは透明なプラスチックで形成されており、本実施形態の場合、第１のパッキン部材５０はポリプロピレン、第２のパッキン部材５５は、より柔らかいポリエチレンテレフタレートにより形成されている。
そして、図示しないが、第２のパッキン部材５５の下には、必要により商品Ｂに添付すべき取扱説明書等を収容するようにしてもよい。
【００２６】
次に包装用容器１０が商品Ｂを収容した状態で、図４の開口部１２を塞ぐ構造について説明する。
この場合、本体１１に第２のパッキン部材を配置し、その上に商品Ｂを収容した状態で、図６の第１のパッキン部材５０を本体１１内に図１に示すように各当接片５２が上方に延伸するように差し入れ、商品Ｂが本体１１内で動かないようにする。
そして、図４の内蓋を形成する各舌片部３１，３１を各辺１４，１５の位置で曲折して開口部１２を覆うよう内方に折り、図２に示す状態とする。これにより、ヘッダー部２０の両側方から異物等が進入する事を防ぐとともに、後述する蓋体４０の閉止後に、蓋体４０よりも内側に、僅かでも、埃やゴミ等の異物等が侵入しても、各舌片部３１，３１の各先端部３３，３３は当接してほとんど隙間がないので、この位置より商品側に異物等が侵入しないようにされる。
この点において、万一、内蓋を越えて異物等が侵入した場合には、第１のパッキン部材５０のトレイ部分５６がこれを阻止することができる。
【００２７】
次いで、図４において、ヘッダー部２０の第２の延長部２３を曲折部２２で内方に折り返して、パッキン部材５０のヘッダー部２０側の当接片５２に、第２の延長部２３の内面が当接させる。つまり、ヘッダー部２０側となる辺１３が設けられた背面の本体１１と、第２の延長部２３の間に、パッキン部材５０のヘッダー側当接片５２がはさまれることとなる。この時、第２の延長部２３の折り返し先端部２４は、開口部１２から本体１１内に挿入される。
さらに、蓋体４０を構成する延長部４１を曲折部１６に沿って内方に折り曲げて、曲折部４２がヘッダー部２０の基端部に当接させると同時に、曲折部４２に沿って延長端部４３を折って、延長端部４２を開口部１２から本体１１内に挿入する。この時、延長端部４３の外面は、第２の延長部２３の外面となる、開口部１２に面した側の面に当接することとなる。
【００２８】
ここで、ヘッダー部２０も蓋体４０もともにポリプロピレンの薄い板で一体に形成されている。このため、図５（ａ）に示すように、ヘッダー部２０の第２の延長部２３は曲折部２２の折りグセに反発して、僅かに矢印の方向に戻ろうとする。また、蓋体４０の先端部となる延長端部４３も同様にして、曲折部４２の折りグセや、蓋体４０の基部となる曲折部１６の折グセに反発して、僅かに矢印の方向に戻ろうとする。この状態で図５（ｂ）に示すように、蓋体４０を閉めて、先端部４３をヘッダー部２０の折り返し先端部である第２の延長部    ２３の表面に当接させると、その当接面は上記各矢印の力に付勢されて、確実に密接されることになる。尚、曲折部１６と曲折部４２は、この状態においてほぼ９０度折られている。ヘッダー部２０の折り部２２はほぼ１８０度折られている。
【００２９】
さらに、万一、異物等が蓋体４０とヘッダー２０部の間の開口部１２における隙間から侵入した場合においても、図７に示されるように、ヘッダー部２０の内面に、凹面状とされた第１のパッキン部材５０の当接片５２が当接されているため、異物はトレイ状部分５６の上面等に止められるため、これより内側の商品Ｂは清潔に保たれることとなる。
なお、蓋体４０を閉じると、舌片部３１，３１に設けられた係合部３４が、曲折部４２の両端に設けられたスリット４４，４４に入り込み、蓋体４０が不用意に開いてしまうことを防いでいる。
【００３０】
このようにして、図１のように蓋体４０を閉止した状態では、図５の蓋体４０の先端部４３とヘッダー部２０の第２の延長部２３の当接面は緊密に閉じているので、外部からのゴミや埃等の異物が蓋体４０よりも内側に侵入することがきわめて効果的に防止されるとともに、万一、侵入した場合でも商品Ｂとは隔離されたパッキン部材５０において、その侵入を止められる。
ここで、好ましくは、ヘッダー部２０を設けた辺１３に沿って、図７に示すように予め押圧や曲折させることで、曲折案内部１３ａが設けられている。このため、図２に示されているように、包装用容器１０の掛止部２５を掛止用フック６１等で掛止した場合においては、包装用容器１０を吊り下げた際に、図２に示すように、曲折案内部１３ａの箇所でヘッダー部２０全体が開口部１２とは逆側に折れ曲がることで、掛止部２５の下側となるヘッダー部２０に無理な力がかかって、蓋体４０の延長端部４３とヘッダー部２０の第２の延長部２３の当接面における掛止部２５近傍が開いてしまうことがなく、確実に延長端部４３と第２の延長部２３の当接を維持し、異物等が本体内に侵入することを有効に防止できる。
【００３１】
本実施形態の包装用容器１０は以上のように構成されており、全体が薄いプラスチックで形成されているので、透明に形成することが容易で、本体１１内の商品Ｂの外形を視認しやすく、購入を検討する人が内部の商品Ｂを手にとらなくても評価しやすいので、購買の際に注意を引きやすい。
また、全体が薄いプラスチックで形成されているので、透明に形成することが容易なだけでなく、色彩を伴う印刷を施しても、発色が良く、所定の印刷を行うことで、本体１１に色彩等を付すと同時に商品Ｂの外形を視認できる程度に透明に形成することができる。このために、一層魅力ある外観を呈する包装用容器１０とすることができる。
【００３２】
また、上述したように、蓋体４０とヘッダー部２０、パッキン部材５０の独自の構造により、外部からのゴミや埃等の異物が蓋体４０よりも内側に侵入することをきわめて効果的に防止できるので、商品Ｂを清潔に保管することができ、本体１１の透明な構成とあいまって、購入を検討する人が外部から清潔な商品Ｂを観察できる点で、商品の訴求力に貢献することができる。
【００３３】
図８は、本発明の包装用容器の第２の実施形態を示す概略断面図である。
図において、第１の実施形態と同一の符号を付した箇所は共通する構成であるから重複する説明は省略し、相違点を中心に説明する。
図８の包装用容器８０は、第１の実施形態に係る包装用容器１０と比較するとヘッダー部２０の構成が一部相違している。
【００３４】
すなわち、この包装用容器８０では、ヘッダー部２０の延長端部２３が先端部でさらに開口部１２側に向かうよう、曲折部２２とは逆側に文字Ｚ状に折り返した逆折り部２６を有している。つまり、折り返された部分２６の内側が溝状の収容部２８とされている。この収容部２８には、蓋体４０の延長端部４３を収容するようになっており、収容部２８は曲折部２２と平行で、開口部１２のヘッダー側の辺１３と略同等の長さとされている。
また、逆折り部２６の高さは、開口部１２よりも低く、本体１１内に止められており、逆折り部２６の端部の上方に、舌片部３１，３１が配置されることとなる。
これにより、ヘッダー部２０と蓋体４０との間が、互いの部材の当接ではなくまた、パッキン部材５０が無くとも、ヘッダー部２０側の収容部２８に蓋体４０の延長端部２３が入り込むことで、ヘッダー部２０と蓋体４０との間がより完全にシールされるとともに、万一、異物等が進入しても収容部２８上に止められ、舌片部３１，３１とあいまって本体１１内は清潔に保たれる。
それ以外の作用効果は、第１の実施形態と同じである。
【００３５】
本発明は上述の実施形態に限定されない。
上述の実施形態では、商品Ｂとして哺乳器を収容する場合について説明しているが、包装用容器に収容される商品はこれに限るものではなく、種々の商品もしくは物品を収容することができる。特に、異なる種類や大きさの商品を収容するために共通に使用することができる。
包装用容器の本体の形状は、直方体だけではなく、上面に開口部を備えれば、立方体その他の角柱形状とすることができる。
また、上述の実施形態の具体的構成は、必ずしも全て採用される必要はなく、一部でもよいし、また、説明しない他の構成と組み合わせることもできる。
【００３６】
【発明の効果】
以上述べたように、本発明によれば、少なくとも外部から本体内に収容された商品の形状等を確認でき、しかも収容した商品に外部から侵入する異物が付着しないようにした包装用容器を提供することができる。
【図面の簡単な説明】
【図１】本発明の第１の実施形態による包装用容器の概略斜視図。
【図２】本発明の第１の実施形態による包装用容器を吊り下げた状態を示す概略斜視図。
【図３】図１の包装用容器の展開図。
【図４】図１の包装用容器の上部の詳しい構成を示す概略斜視図。
【図５】図１の包装用容器の蓋体とヘッダー部の関係を閉止手順にそって示す説明図。
【図６】図１の包装用容器の第１のパッキン部材の概略斜視図。
【図７】図２のＡ−Ａ線概略断面図。
【図８】本発明の第２の実施形態による包装用容器の概略断面図。
【符号の説明】
１０，８０・・・包装用容器、１１・・・本体、１２・・・開口部、１３，１４，１５，１６・・・辺（曲折部）、２０・・・ヘッダー部、２１・・・第１の延長部、２２・・・曲折部、２３・・・第２の延長部（折り返し先端部）、３１，３１・・・舌片部、４０・・・蓋体、４３・・・先端部。
【図１】
2004161345.tif 000003
【図２】
2004161345.tif 000004
【図３】
2004161345.tif 000005
【図４】
2004161345.tif 000006
【図５】
2004161345.tif 000007
【図６】
2004161345.tif 000008
【図７】
2004161345.tif 000009
【図８】
2004161345.tif 000010